(57)【特許請求の範囲】
【請求項１】
基地局部と、前記基地局部と通信を行うと共に複数の無線リソースを用いて複数の端末装置と無線通信を行うことができる、複数のリモート局部と、を備え、
前記基地局部は、前記リモート局部の夫々による前記複数の無線リソースの夫々の信号処理を示す制御情報を決定する決定部と、前記制御情報と前記複数の端末装置への信号を含む第１下りリンク信号とを前記リモート局部へ送信する第１送信部と、前記複数の端末装置からの信号を含む第１上りリンク信号を、前記リモート局部から受信する第１受信部と、を備え、
前記複数のリモート局部の夫々は、前記制御情報と前記第１下りリンク信号とを前記基地局部から受信する第２受信部と、前記無線通信を用いて、前記基地局部への信号を含む第２上りリンク信号を前記複数の端末装置から受信する第３受信部と、前記無線通信を用いて、前記基地局部からの信号を含む第２下りリンク信号を前記複数の端末装置へ送信する第２送信部と、前記第１上りリンク信号を前記基地局部へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、
前記第１信号処理と前記第２信号処理の少なくともいずれかは、前記制御情報に基づいて前記複数の無線リソースの夫々に対する信号処理を行い、
前記制御情報は、前記リモート局部の夫々に対し、前記複数の無線リソースの夫々が必要か不要かを示し、
前記第１信号処理部は、前記第１下りリンク信号のうち、前記制御情報により自局に必要と示された無線リソースを前記第２下りリンク信号に含め、前記第１下りリンク信号のうち、前記制御情報により自局に不要と示された無線リソースを前記第２下りリンク信号に含めず、
前記決定部は、前記複数の端末装置の夫々と前記複数の端末装置の夫々への前記第２下りリンク信号の送信元であるリモート局部との関連を示す第１関連情報を記憶し、前記複数の無線リソースの夫々と前記複数の無線リソースの夫々を用いる送信先である端末装置との関連を示す第２関連情報を記憶し、前記第１関連情報と前記第２関連情報に基づいて、前記リモート局部の夫々に前記複数の無線リソースの夫々が必要か不要かを決定することにより、前記制御情報を決定する、
無線通信装置。
【請求項２】
前記第２信号処理部は、前記第２上りリンク信号のうち、前記制御情報により自局に必要と示された無線リソースを前記第１上りリンク信号に含め、前記第２上りリンク信号のうち、前記制御情報により自局に不要と示された無線リソースを前記第１下りリンク信号に含めない、
請求項１に記載の無線通信装置。
【請求項３】
前記複数のリモート局部の一つである第１リモート局部と、前記第１関連情報により前記第１リモート局部に関連付けられた第１端末装置と、前記第２関連情報により前記第１端末装置に関連付けられた第１無線リソースと、前記第１関連情報により前記第１リモート局部に関連付けられていない第２端末装置と、前記第２関連情報により前記第２端末装置に関連付けられた第２無線リソースとに関し、前記決定部は、前記第１リモート局部にとって前記第１無線リソースが必要であり前記第２無線リソースが不要であることを示す前記制御情報を決定する、
請求項１に記載の無線通信装置。
【請求項４】
前記決定部は、前記複数のリモート局部で前記複数の端末装置のいずれかから受信した信号電力を、前記第１上りリンク信号より抽出または識別することによって、前記第１関連情報を決定する、
請求項１乃至請求項３のいずれかに記載の無線通信装置。
【請求項５】
前記第１信号処理部は、前記複数の無線リソースの夫々に対して、ＭＩＭＯ送信のためのプリコーディングを行う、
請求項１乃至請求項４のいずれかに記載の無線通信装置。
【請求項６】
前記制御情報は、前記リモート局部の夫々に対して、複数のストリームの夫々と前記複数の無線リソースの夫々とに対する前記第１信号処理とを示し、
前記第１信号処理部は、前記制御信号に基づいて、前記第１下りリンク信号内の前記複数のストリームの夫々と前記複数の無線リソースの夫々とに対する前記第１信号処理を行うことにより、前記第２下りリンク信号を生成する、
請求項１乃至請求項５のいずれかに記載の無線通信装置。
【請求項７】
複数の無線リソースを用いて複数の端末装置と無線通信を行うことができるリモート局装置であって、
前記リモート局装置の夫々による前記複数の無線リソースの夫々の信号処理を示す制御情報と前記複数の端末装置への信号を含む第１下りリンク信号とを基地局装置から受信する第２受信部と、
前記無線通信を用いて、前記基地局装置への信号を含む第２上りリンク信号を前記複数の端末装置から受信する第３受信部と、
前記無線通信を用いて、前記基地局装置からの信号を含む第２下りリンク信号を前記複数の端末装置へ送信する第２送信部と、
前記基地局装置への信号を含む第１上りリンク信号を前記基地局装置へ送信する第３送信部と、
前記第１下りリンク信号に第１信号処理を行うことにより前記第２下りリンク信号を生成する第１信号処理部と、
前記第２上りリンク信号に第２信号処理を行うことにより前記第１上りリンク信号を生成する第２信号処理部と、
を備え、
前記第１信号処理と前記第２信号処理の少なくともいずれかは、前記制御情報に基づいて前記複数の無線リソースの夫々に対する信号処理を行い、
前記制御情報は、前記リモート局装置の夫々に対し、前記複数の無線リソースの夫々が必要か不要かを示し、
前記第１信号処理部は、前記第１下りリンク信号のうち、前記制御情報により自局に必要と示された無線リソースを前記第２下りリンク信号に含め、前記第１下りリンク信号のうち、前記制御情報により自局に不要と示された無線リソースを前記第２下りリンク信号に含めず、
前記制御情報は、前記基地局装置によって、前記複数の端末装置の夫々と前記複数の端末装置の夫々への前記第２下りリンク信号の送信元であるリモート局装置との関連を示す第１関連情報と、前記複数の無線リソースの夫々と前記複数の無線リソースの夫々を用いる送信先である端末装置との関連を示す第２関連情報とに基づいて、前記リモート局装置の夫々に前記複数の無線リソースの夫々が必要か不要かが決定されることにより決定される、
リモート局装置。
【請求項８】
複数の無線リソースを用いて複数の端末装置との間で無線通信を行うことができる複数のリモート局装置に関し、前記複数のリモート局装置と通信を行う基地局装置であって、
前記リモート局装置の夫々による前記複数の無線リソースの夫々の信号処理を示す制御情報を決定する決定部と、
前記制御情報と前記複数の端末装置への信号を含む第１下りリンク信号とを前記リモート局装置へ送信する第１送信部と、
前記複数の端末装置からの信号を含む第１上りリンク信号を、前記リモート局装置から受信する第１受信部と、
を備え、
前記複数のリモート局装置の夫々は、前記制御情報と前記第１下りリンク信号とを前記基地局装置から受信する第２受信部と、前記無線通信を用いて、前記基地局装置への信号を含む第２上りリンク信号を前記複数の端末装置から受信する第３受信部と、前記無線通信を用いて、前記基地局装置からの信号を含む第２下りリンク信号を前記複数の端末装置へ送信する第２送信部と、前記第１上りリンク信号を前記基地局装置へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、
前記第１信号処理と前記第２信号処理の少なくともいずれかは、前記制御情報に基づいて前記複数の無線リソースの夫々に対する信号処理を行い、
前記制御情報は、前記リモート局部の夫々に対し、前記複数の無線リソースの夫々が必要か不要かを示し、
前記第１信号処理部は、前記第１下りリンク信号のうち、前記制御情報により自局に必要と示された無線リソースを前記第２下りリンク信号に含め、前記第１下りリンク信号のうち、前記制御情報により自局に不要と示された無線リソースを前記第２下りリンク信号に含めず、
前記決定部は、前記複数の端末装置の夫々と前記複数の端末装置の夫々への前記第２下りリンク信号の送信元であるリモート局部との関連を示す第１関連情報を記憶し、前記複数の無線リソースの夫々と前記複数の無線リソースの夫々を用いる送信先である端末装置との関連を示す第２関連情報を記憶し、前記第１関連情報と前記第２関連情報に基づいて、前記リモート局部の夫々に前記複数の無線リソースの夫々が必要か不要かを決定することにより、前記制御情報を決定する、
基地局装置。
【発明の詳細な説明】
【技術分野】
【０００１】
本発明は、基地局とリモート局が通信を行い、リモート局と端末装置が無線通信を行う無線通信装置に関する。
【背景技術】
【０００２】
移動通信システムにおけるデータレートの増加に従い、無線周波数は高くなり、セルの大きさは減少する傾向がある。また、地形的な制約や建造物の制約によって、セルの大きさが制限される場合がある。
【０００３】
このような場合に対し、例えば、分散アンテナシステムが提案されている。分散アンテナシステムは、基地局の機能のうちアンテナを含む無線処理部をリモート局とし、複数のリモート局をそれぞれ小さいセルに配置し、複数のリモート局にカバーされる領域をまとめて一つのセルとして扱う。リモート局は端末（ユーザ端末）との無線通信を行う。分散アンテナシステムは、一つの基地局をさまざまなエリアに適用でき、ハンドオーバの回数を減らすことができる。これにより、分散アンテナシステムは、コストパフォーマンスを向上させることができる。
【０００４】
リンクの接続トポロジー（物理トポロジー）として、バス型、スター型、あるいは両者のハイブリッド型が用いられる。
【０００５】
関連する技術として、様々な接続トポロジーを適用する技術、ループ型の接続を適用する技術、基地局が複数のリモート局にそれぞれ異なる下りリンク信号を送信する技術が知られている。
【先行技術文献】
【特許文献】
【０００６】
【特許文献１】特開２０００−３２４０４４号公報
【特許文献２】特開平９−５１５７３号公報
【特許文献３】特開２００７−５３７６８号公報
【発明の概要】
【発明が解決しようとする課題】
【０００７】
しかしながら、全てのリモート局が同じ下りリンク信号の送信を行う場合、干渉が多く発生する。一方、基地局が複数のリモート局にそれぞれ異なる下りリンク信号を送信する場合、基地局と複数のリモート局は、スター型のリンクを構成する必要がある。
【０００８】
本発明は上述した問題点を解決するためになされたものであり、基地局とリモート局のリンクの物理トポロジーに依存することなく、端末間の干渉を低減する技術を提供することを目的とする。
【課題を解決するための手段】
【０００９】
上述した課題を解決するため、本発明の一態様は、基地局部と、前記基地局部と通信を行うと共に複数の無線リソースを用いて複数の端末装置と無線通信を行うことができる、複数のリモート局部と、を備え、前記基地局部は、前記リモート局部の夫々による前記複数の無線リソースの夫々の信号処理を示す制御情報を決定する決定部と、前記制御情報と前記複数の端末装置への信号を含む第１下りリンク信号とを前記リモート局部へ送信する第１送信部と、前記複数の端末装置からの信号を含む第１上りリンク信号を、前記リモート局部から受信する第１受信部と、を備え、前記複数のリモート局部の夫々は、前記制御情報と前記第１下りリンク信号とを前記基地局部から受信する第２受信部と、前記無線通信を用いて、前記基地局部への信号を含む第２上りリンク信号を前記複数の端末装置から受信する第３受信部と、前記無線通信を用いて、前記基地局部からの信号を含む第２下りリンク信号を前記複数の端末装置へ送信する第２送信部と、前記第１上りリンク信号を前記基地局部へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、前記第１信号処理と前記第２信号処理の少なくともいずれかは、前記制御情報に基づいて前記複数の無線リソースの夫々に対する信号処理を行う、無線通信装置である。
【００１０】
また、本発明の一態様は、複数の無線リソースを用いて複数の端末装置と無線通信を行うことができるリモート局装置であって、前記リモート局装置の夫々による前記複数の無線リソースの夫々の信号処理を示す制御情報と前記複数の端末装置への信号を含む第１下りリンク信号とを基地局装置から受信する第２受信部と、前記無線通信を用いて、前記基地局装置への信号を含む第２上りリンク信号を前記複数の端末装置から受信する第３受信部と、前記無線通信を用いて、前記基地局装置からの信号を含む第２下りリンク信号を前記複数の端末装置へ送信する第２送信部と、前記基地局装置への信号を含む第１上りリンク信号を前記基地局装置へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、前記第１信号処理と前記第２信号処理の少なくともいずれかは、前記制御情報に基づいて前記複数の無線リソースの夫々に対する信号処理を行う、リモート局装置である。
【００１１】
また、本発明の一態様は、複数の無線リソースを用いて複数の端末装置との間で無線通信を行うことができる複数のリモート局装置に関し、前記複数のリモート局装置と通信を行う基地局装置であって、前記リモート局装置の夫々による前記複数の無線リソースの夫々の信号処理を示す制御情報を決定する決定部と、前記制御情報と前記複数の端末装置への信号を含む第１下りリンク信号とを前記リモート局装置へ送信する第１送信部と、前記複数の端末装置からの信号を含む第１上りリンク信号を、前記リモート局装置から受信する第１受信部と、を備え、前記複数のリモート局装置の夫々は、前記制御情報と前記第１下りリンク信号とを前記基地局装置から受信する第２受信部と、前記無線通信を用いて、前記基地局装置への信号を含む第２上りリンク信号を前記複数の端末装置から受信する第３受信部と、前記無線通信を用いて、前記基地局装置からの信号を含む第２下りリンク信号を前記複数の端末装置へ送信する第２送信部と、前記第１上りリンク信号を前記基地局装置へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、前記第１信号処理と前記第２信号処理の少なくともいずれかは、前記制御情報に基づいて前記複数の無線リソースの夫々に対する信号処理を行う、基地局装置である。
【発明の効果】
【００１２】
この出願に開示された技術によれば、基地局とリモート局のリンクの物理トポロジーに依存することなく、端末間の干渉を低減することができる。
【図面の簡単な説明】
【００１３】
【図１】分散アンテナシステム１の構成を示すブロック図である。
【図２】基地局２ａの構成を示すブロック図である。
【図３】関連テーブルを示す表である。
【図４】無線リソース割り当てテーブルを示す表である。
【図５】無線リソース送信テーブルを示す表である。
【図６】リモート局３ａの構成を示すブロック図である。
【図７】リモート局３ａ内のＤＬ信号処理部３３の構成を示すブロック図である。
【図８】リモート局３ａによる送信信号の構成を示す模式図である。
【図９】リモート局３ａ内のＵＬ信号処理部３８の構成を示すブロック図である。
【図１０】送信アンテナ数が２である場合のプリコーディングベクタの例を示す表である。
【図１１】無線リソース送信テーブルにより送信が必要と示された場合のユーザ端末プリコーディングベクタテーブルを示す表である。
【図１２】ユーザ端末プリコーディングベクタテーブルを示す表である。
【図１３】複数の送信ストリームを用いる場合の無線リソース割り当て方法を示すフローチャートである。
【図１４】複数の送信ストリームを用いる場合の無線リソース割り当てテーブルを示す表である。
【図１５】複数の送信ストリームを用いる場合のＤＬ信号処理部３３の構成を示すブロック図である。
【図１６】リモート局３ｐの構成を示すブロック図である。
【図１７】リモート局３ｑの構成を示すブロック図である。
【図１８】ユーザ端末４ｕの構成を示すブロック図である。
【図１９】パンクチャ・パターンを示す模式図である。
【図２０】リモート局３ｇの構成を示すブロック図である。
【図２１】基地局２ｇの構成を示すブロック図である。
【発明を実施するための形態】
【００１４】
以下、本発明の実施形態について図面を参照しつつ説明する。
【００１５】
＜実施形態１＞
以下、本発明の無線通信装置の適用例である、分散アンテナシステム１について説明する。
【００１６】
図１は、分散アンテナシステム１の構成を示すブロック図である。分散アンテナシステム１は、基地局（base station：ＢＳ）２ａ、リモート局（remote access unit：ＲＡＵ）３ａ，３ｂ，３ｃ，３ｄ，３ｅ，３ｆ、ユーザ端末（user equipment：ＵＥ）４ｕ，４ｖを有する。分散アンテナシステム１はビル５内に設けられる。ビル５は、地上６階、地下１階のフロアを有する。基地局２ａは、地下１階に設けられる。リモート局３ａ，３ｂ，３ｃ，３ｄ，３ｅ，３ｆはそれぞれ、１階、２階、３階、４階、５階、６階に設けられる。ユーザ端末４ｕ，４ｖはそれぞれ、ユーザと共に移動可能である。この例において、ユーザ端末４ｕ，４ｖはそれぞれ、６階と３階に位置する。
【００１７】
この例において、基地局２ａとリモート局３ａ，３ｂ，３ｃ，３ｄ，３ｅ，３ｆとは、基地局リモート局間ＩＦ（interface）を介した通信を行う。基地局リモート局間ＩＦは、例えば、メタルケーブル、光ファイバケーブル、無線などである。基地局２ａとリモート局３ａ，３ｂ，３ｃ，３ｄ，３ｅ，３ｆとのリンクの接続トポロジー（物理トポロジー）は、例えば、バス型、スター型、両者のハイブリッド型である。
【００１８】
リモート局３ａ，３ｂ，３ｃ，３ｄ，３ｅ，３ｆとユーザ端末４ｕ，４ｖとは、無線通信を行う。
【００１９】
以下、基地局２ａの構成について説明する。
【００２０】
図２は、基地局２ａの構成を示すブロック図である。基地局２ａは、ＵＥ管理部２１、ＤＬ（down link）スケジューラ２２、ＤＬ信号処理部２３、リモート局制御情報生成部２４、ＩＦ（interface）部２５、ＵＬ（up link）信号処理部２６を有する。
【００２１】
以下、基地局２ａによる下りリンクの処理である基地局下りリンク処理について説明する。
【００２２】
ＵＥ管理部２１は、ユーザ端末４ｕ，４ｖとリモート局３ａ，３ｂ，３ｃ，３ｄ，３ｅ，３ｆとを関連付ける関連付け処理を行い、その関連付け処理の結果である関連テーブルを基地局２ａ内のメモリへ保存する。図３は関連テーブルを示す表である。関連付けテーブルは、ユーザ端末毎に、ユーザ端末（ＵＥ）番号、そのユーザ端末に関連付けられたリモート局を示す関連リモート局番号を示す。この例において、関連リモート局番号には当該ユーザ端末との通信の適性についての優先順位が付けられ、当該ユーザ端末との通信に１番目に適するリモート局のリモート局（ＲＡＵ）番号、…、当該ユーザ端末との通信にＫ番目に適するリモート局のリモート局番号を示す。この例において、リモート局数Ｋは６である。
【００２３】
ここで、関連付け処理は、ユーザ端末４ｕ，４ｖのそれぞれからの信号が、リモート局３ａ，３ｂ，３ｃ，３ｄ，３ｅ，３ｆのそれぞれにより受信された場合の、誤り率や受信電力等の通信品質を取得することにより、関連リモート局番号を決定する。関連リモート局番号は、通信品質により優先順位を付けられたリモート局のリモート局番号であっても良いし、所定の通信品質条件を満たすリモート局のリモート局番号だけであっても良い。
【００２４】
ＤＬスケジューラ２２は、所定の無線リソース割り当て方法を用いて、ユーザ端末４ｕ，４ｖのそれぞれに無線リソースを割り当て、その割り当ての結果である無線リソース割り当てテーブルを基地局２ａ内のメモリへ保存する。
【００２５】
例えば、分散アンテナシステム１がＯＦＤＭＡ（orthogonal frequency division multiple access）を用いる場合、無線リソースは、複数のサブキャリアのグループである周波数ブロックである。その他、分散アンテナシステム１がＣＤＭＡ（code division multiple access）を用いる場合、無線リソースは、拡散コードである。分散アンテナシステム１がＦＤＭＡ（frequency division multiple access）を用いる場合、無線リソースは周波数帯である。分散アンテナシステム１がＴＤＭＡ（time division multiple access）を用いる場合、無線リソースは時間スロットである。以下の例において、分散アンテナシステム１はＯＦＤＭＡを用いる。
【００２６】
無線リソース割り当て方法は、ＲＲ（Round Robin）、ＰＦ（Proportional Fairness）など、様々なアルゴリズムを用いることができる。ＤＬスケジューラ２２は、例えば、ある無線リソースを用いた場合の瞬間見込みスループットを予測し、瞬間見込みスループット対平均スループットの比が最も大きくなるユーザ端末を、その無線リソースへ割り当てる。
【００２７】
図４は無線リソース割り当てテーブルを示す表である。無線リソース割り当てテーブルは、無線リソース毎に、無線リソース番号、その無線リソースに割り当てられたユーザ端末のユーザ端末番号を示す。
【００２８】
無線リソース割り当てテーブルは、基地局２ａ内のメモリ内に予め設定されても良い。
【００２９】
更に、ＤＬスケジューラ２２は、関連テーブルと無線リソース割り当てテーブルから無線リソース送信テーブルを作成する。図５は無線リソース送信テーブルを示す表である。無線リソース送信テーブルは、リモート局毎に、リモート局番号、そのリモート局が送信に用いる無線リソースである送信無線リソースを示す。送信無線リソースは、無線リソース番号毎に、「Ｙｅｓ」か「Ｎｏ」で表される。この「Ｙｅｓ」は、そのリモート局による送信が必要であること（送信必要）を示す。この「Ｎｏ」は、そのリモート局による送信が不要であること（送信不要）を示す。
【００３０】
なお、「Ｙｅｓ」は、そのリモート局による受信が必要、またはそのリモート局による送信および受信が必要であることを示しても良い。同様に、「Ｎｏ」は、そのリモート局による受信が不要、またはそのリモート局による送信および受信が不要、であることを示しても良い。
【００３１】
ＤＬ信号処理部２３は、無線リソース割り当てテーブルに基づいて、無線リソース番号順に、その無線リソースに割り当てられたユーザ端末への送信データを選択することにより、基地局からリモート局への下りリンクの情報を含む基地局下りリンク信号を生成する。
【００３２】
リモート局制御情報生成部２４は、関連テーブル、無線リソース割り当てテーブル、無線リソース送信テーブルを含む、リモート局制御情報を生成する。
【００３３】
ＩＦ部２５は、基地局リモート局間ＩＦを介して、基地局下りリンク信号とリモート局制御情報をリモート局３ａ，３ｂ，３ｃ，３ｄ，３ｅ，３ｆへ送信する。
【００３４】
以下、リモート局３ａ，３ｂ，３ｃ，３ｄ，３ｅ，３ｆの構成について説明する。
【００３５】
図６は、リモート局３ａの構成を示すブロック図である。リモート局３ａは、自局宛制御情報取得部３２、ＤＬ信号処理部３３、無線送信部３４、無線受信部３５、ＩＦ部３６，３７、ＵＬ信号処理部３８、アンテナ４０ａ，４０ｂ，４０ｃ，４０ｄを有する。リモート局３ｂ，３ｃ，３ｄ，３ｅ，３ｆの構成は、リモート局３ａの構成と同様である。この実施形態におけるリモート局３ａ，３ｂ，３ｃ，３ｄ，３ｅ，３ｆは、互いに有線でカスケード接続されることができる。
【００３６】
リモート局３ａ，３ｂ，３ｃ，３ｄ，３ｅ，３ｆのそれぞれは、予め自局の番号であるリモート局番号を割り当てられ、そのリモート局番号を内部のメモリに保存する。
【００３７】
カスケード接続の最も上位のリモート局のＩＦ部３６は、基地局２ａに有線で接続される。
【００３８】
以下、リモート局３ａ，３ｂ，３ｃ，３ｄ，３ｅ，３ｆによる下りリンクの処理である、リモート局下りリンク処理について説明する。
【００３９】
ＩＦ部３６は、基地局下りリンク信号とリモート局制御情報を、上位に接続されている局（基地局または他のリモート局である上位局）から受信する。
【００４０】
ＩＦ部３７は、基地局下りリンク信号を、下位に接続されている局（他のリモート局である下位局）へ送信する。
【００４１】
自局宛制御情報取得部３２は、リモート局制御情報から自局のリモート局番号に該当する部分である自局宛制御情報を抽出する。
【００４２】
図７は、リモート局３ａ内のＤＬ信号処理部３３の構成を示すブロック図である。ＤＬ信号処理部３３は、無線リソース信号処理部４１、信号変換部４２を有する。無線リソース信号処理部４１は、自局宛制御情報に基づいて、受信された基地局下りリンク信号のうち、自局が送信すべき無線リソースの部分を抽出する、即ち、自局の送信が不要と示された無線リソースの部分を取り除く。リモート局３ａがＭＩＭＯ（multiple input multiple output）送信を行う場合、無線リソース信号処理部４１は更に、抽出された無線リソースの部分に対して、無線リソース毎のプリコーディングベクタを用いてプリコーディングを行う。
【００４３】
信号変換部４２は、抽出された部分のＩＦＦＴ（inverse fast fourier transform）を行うことにより、リモート局からユーザ端末への下りリンクの情報を含むリモート局下りリンク信号を生成する。
【００４４】
リモート局下りリンク信号は、関連テーブル、無線リソース割り当てテーブル、無線リソース送信テーブルを含む。
【００４５】
無線送信部３４は、ＤＬ信号処理部３３の出力のアップコンバート等の変調処理を行い、得られた信号を、アンテナ４０ａ，４０ｂを介してユーザ端末４ｕ，４ｖへ無線送信する。
【００４６】
図８は、リモート局３ａによる送信信号の構成を示す模式図である。この図において、横軸は時間を示し、縦軸は周波数を示す。自局制御信号に必要と示された無線リソースだけに信号が送信される。
【００４７】
このリモート局下りリンク処理によれば、あるリモート局は、関連付けテーブルによりそのリモート局に関連付けられていないユーザ端末への信号を送信しない。
【００４８】
ユーザ端末４ｕ，４ｖは、無線リソース割り当てテーブルに基づいて、端末からリモート局への上りリンクの情報を含む端末上りリンク信号を生成し、リモート局３ａ，３ｂ，３ｃ，３ｄ，３ｅ，３ｆへ送信する。
【００４９】
なお、無線リソース送信テーブルは、無線リソース毎の係数を表しても良い。この場合、無線リソース信号処理部４１は、自局宛制御情報に基づいて、受信された基地局下りリンク信号に対し、無線リソースの部分毎に係数を乗ずる。
【００５０】
以下、リモート局３ａ，３ｂ，３ｃ，３ｄ，３ｅ，３ｆによる上りリンクの処理である、リモート局上りリンク処理について説明する。
【００５１】
ＩＦ部３７は、リモート局から基地局への上りリンクの情報を含むリモート局上りリンク信号を、下位に接続されている局から受信する。
【００５２】
無線受信部３５は、ユーザ端末４ｕ，４ｖからの無線信号をアンテナ４０ｃ，４０ｄを介して受信し、ダウンコンバート等の復調処理を行い、得られた信号をＵＬ信号処理部３８へ出力する。
【００５３】
図９は、リモート局３ａ内のＵＬ信号処理部３８の構成を示すブロック図である。ＵＬ信号処理部３８は、信号変換部４３、無線リソース信号処理部４４を有する。信号変換部４３は、アンテナ４０ｃ，４０ｄにより端末上りリンク信号を受信し、受信された端末上りリンク信号のＦＦＴ（fast fourier transform）を行う。無線リソース信号処理部４４は、自局宛制御情報に基づいて、ＦＦＴ結果のうち自局が受信すべき無線リソースの部分を抽出する、即ち、自局の受信が不要と示された無線リソースの部分を取り除く。次に、無線リソース信号処理部４３は、抽出された部分とＩＦ部３７により受信された他局のリモート局上りリンク信号とを合成する。これにより、無線リソース信号処理部４３は、自局のリモート局上りリンク信号を生成する。
【００５４】
ＩＦ部３６は、自局のリモート局上りリンク信号を、上位に接続されている局へ送信する。
【００５５】
なお、この実施形態のように、ＤＬ信号処理部３３とＵＬ信号処理部３８の両方が、自局宛制御情報に基づいて必要な部分を抽出する等の、無線リソース毎の信号処理を行っても良いし、ＤＬ信号処理部３３とＵＬ信号処理部３８のいずれか一方が、自局宛制御情報に基づいて必要な部分を抽出する等の、無線リソース毎の信号処理を行っても良い。
【００５６】
以下、基地局２ａによる上りリンクの処理である、基地局上りリンク処理について説明する。
【００５７】
ＩＦ部２５は、基地局リモート局間ＩＦを介して、リモート局上りリンク信号をリモート局３ａ，３ｂ，３ｃ，３ｄ，３ｅ，３ｆから受信する。
【００５８】
ＵＬ信号処理部２６は、受信されたリモート局上りリンク信号から、各リモート局からの情報を復調する。
【００５９】
ＵＥ管理部２１は、各リモート局からの情報に基づいて、前述の関連付け処理を行う。
【００６０】
以下、リモート局下りリンク処理におけるプリコーディングの詳細について説明する。
【００６１】
下りリンクにおいてプリコーディングが行われることにより、スループットを向上させることができる。ユーザ端末毎、無線リソース毎のプリコーディングベクタは、ユーザ端末からのフィードバックまたは端末上りリンク信号から計算される。
【００６２】
図１０は、送信アンテナ数が２である場合のプリコーディングベクタの例を示す表である。ＵＥ管理部２１は、ユーザ端末毎の無線リソース番号とプリコーディングベクタ番号を示すユーザ端末プリコーディングベクタテーブルを、基地局２ａ内のメモリへ保存する。
【００６３】
ＤＬスケジューラ２２は、無線リソース割り当てテーブルとユーザ端末プリコーディングベクタテーブルとを作成する。無線リソース送信テーブルと無線リソース送信テーブルにより送信有りと示された場合のプリコーディングベクタテーブルとが別に作成されても良い。図１１は、無線リソース送信テーブルにより送信必要と示された場合のユーザ端末プリコーディングベクタテーブルを示す表である。この場合のユーザ端末プリコーディングベクタテーブルは、一つのリモート局における無線リソース番号毎のプリコーディングベクタ番号を示す。
【００６４】
無線リソース送信テーブルにより「送信無し」と示された場合のプリコーディングベクタを図１１の番号７として、０ベクタを追加することにより、ユーザ端末プリコーディングベクタテーブルに無線リソース送信テーブルの情報を含めることも可能である。
【００６５】
図１２は、ユーザ端末プリコーディングベクタテーブルを示す表である。この場合のユーザ端末プリコーディングベクタテーブルは、リモート局番号毎、無線リソース番号毎の、プリコーディングベクタ番号を示す。基地局２ａからリモート局３ａ，３ｂ，３ｃ，３ｄ，３ｅ，３ｆへ送信されるリモート局制御情報は、無線リソース送信テーブルの代わりにユーザ端末プリコーディングベクタテーブルを含む。
【００６６】
なお、リモート局３ａ，３ｂ，３ｃ，３ｄ，３ｅ，３ｆのそれぞれは、リモート局下りリンク処理において、ＭＩＭＯの代わりに送信アンテナダイバーシティを用いても良い。同様に、リモート局３ａ，３ｂ，３ｃ，３ｄ，３ｅ，３ｆのそれぞれは、リモート局上りリンク処理において、ＭＩＭＯあるいは受信アンテナダイバーシティを用いても良い。
【００６７】
以下、この実施形態による効果について説明する。
【００６８】
基地局が複数のリモート局のそれぞれへ、個別の下りリンク信号をそれぞれ異なるリンクを介して送信し、リモート局が基地局へユーザ端末から受信した上りリンク信号をそれぞれ異なるリンクを介して送信する場合、上りリンクも下りリンクもスター型にリンクを張る必要があり、コストが増大してしまう。
【００６９】
一方、この実施形態によれば、基地局２ａが、同じセルに属する全てのリモート局３ａ，３ｂ，３ｃ，３ｄ，３ｅ，３ｆへ同じ下りリンク信号を転送することにより、基地局２ａとリモート局３ａ，３ｂ，３ｃ，３ｄ，３ｅ，３ｆのトポロジーに依存することなく、効率的に基地局２ａとリモート局３ａ，３ｂ，３ｃ，３ｄ，３ｅ，３ｆの間のリンクを構築できる。
【００７０】
基地局２ａがリモート局３ａ，３ｂ，３ｃ，３ｄ，３ｅ，３ｆとユーザ端末４ｕ，４ｖとを関連付けし、リモート局３ａ，３ｂ，３ｃ，３ｄ，３ｅ，３ｆのそれぞれが関連づけられたユーザ端末４ｕ，４ｖへの信号のみを送信することにより、不要な干渉を減らし、システム容量を増大させることができる。
【００７１】
例えば、前述のビル５の例において、６階に位置するユーザ端末４ｖは、同一セル内のリモート局３ｆに関連付けられ、３階に位置するユーザ端末４ｕは、同一セル内のリモート局３ｃに関連付けられることにより、リモート局３ｆは、ユーザ端末４ｖだけへの下りリンク信号を送信し、リモート局３ｃは、ユーザ端末４ｕだけへの下りリンク信号を送信することができる。これにより、不要な送信を抑えることが可能であり、他セルへの干渉の低減が可能となる。
【００７２】
以下、マルチユーザＭＩＭＯにおける効果について説明する。
【００７３】
ここで、同時送信ユーザ数は２、リモート局３ａ，３ｂ，３ｃ，３ｄ，３ｅ，３ｆのそれぞれが有するアンテナ数は２である。無線送信部３４は、ユーザ端末４ｕ，４ｖのそれぞれに宛てたリモート局下りリンク信号ｄｕ，ｄｖに対し、それぞれプリコーディングベクタ（ａ１  ａ２）t，（ａ１  ａ２）tを用いるプリコーディングを行う。このとき、無線送信部３４のアンテナ４０ａ，４０ｂのそれぞれからの送信信号ｘ１，ｘ２は、次式により表される。
【００７４】
【数１】
0005445152.tif 000002
【００７５】
リモート局３ａ，３ｂ，３ｃ，３ｄ，３ｅ，３ｆのそれぞれにおいて、アンテナ４０ａが送信信号ｘ１を送信し、アンテナ４０ｂが送信信号ｘ２を送信する。これにより、ユーザ端末４ｕ宛ての無線信号とユーザ端末４ｖ宛ての無線信号は互いに干渉する。異なるユーザ端末宛てのプリコーディングベクタは、相互干渉をできるだけ小さくするために、互いに直交するベクタの候補の中から選ばれ、互いに異なるベクタである。このようなベクタの候補は、例えば次の３つのベクタである。
【００７６】
【数２】
0005445152.tif 000003
【００７７】
もし、下りリンクにおいて、全てのリモート局が同じ下りリンク信号の送信を行う場合、リモート局の送信信号において、複数のユーザ端末宛の信号が直交していても、異なる伝搬路により、複数のユーザ端末宛の信号の相互干渉は発生する。この場合、ユーザ端末において遠いリモート局からの受信信号は、希望する受信電力の増大には寄与しない。
【００７８】
もし、上りリンクにおいて、全てのリモート局により受信された上りリンク信号が合成され、基地局により受信される場合、同様の問題が発生する。各リモート局において受信された信号には雑音が加わる。所望のユーザ端末から遠いリモート局で受信された信号は、所望のユーザ端末からの受信信号の電力を増加させることなく、雑音電力を増加させる。
【００７９】
一方、前述のリモート局下りリンク処理によれば、リモート局３ａは、基地局下りリンク信号のうち、リモート局３ａによる送信が不要であると基地局２ａにより判定された部分を除外して送信することにより、ユーザ端末４ｕ，４ｖのそれぞれが受信すべき下りリンク信号の干渉を低減することができる。
【００８０】
リモート局上りリンク処理によれば、リモート局３ａは、端末上りリンク信号のうち、リモート局３ａによる受信が不要であると基地局２ａにより判定された部分を除外して受信することにより、基地局２ａの受信信号における信号電力対雑音電力比を向上させることができる。
【００８１】
基地局２ａ、リモート局３ａ，３ｂ，３ｃ，３ｄ，３ｅ，３ｆの各部は、回路により実現されても良いし、コンピュータやＤＳＰ（digital signal processor）等により実現されても良い。
【００８２】
＜実施形態２＞
以下、前述のリモート局下りリンク処理において、送信ストリーム数が複数である場合について説明する。
【００８３】
基地局２ａにおいて、ＤＬスケジューラ２２は、送信ストリーム毎に、関連テーブル、無線リソース割り当てテーブル、無線リソース送信テーブル、を作成する。このような複数の送信ストリームを用いる場合も、前述の無線リソース割り当て方法に示されたアルゴリズムを用いることができる。
【００８４】
図１３は、複数の送信ストリームを用いる場合の無線リソース割り当て方法を示すフローチャートである。まず、ＤＬスケジューラ２２は、無線リソース割り当てテーブル及び割り当て禁止ユーザ端末テーブルを初期化する（Ｓ１１）。次に、ＤＬスケジューラ２２は、割り当て禁止ユーザ端末テーブルに登録されたユーザ端末以外のユーザ端末を一つ選択し、選択されたユーザ端末を新規の一つのストリームに割り当て、割り当てられたストリーム番号とユーザ端末番号を無線リソース割り当てテーブルへ登録する（Ｓ１２）。次に、ＤＬスケジューラ２２は、割り当て済みストリーム数が送信ストリーム数と等しいか否かの判定を行う（Ｓ１３）。割り当て済みストリーム数が送信ストリーム数と等しい場合（Ｓ１３，Ｙｅｓ）、このフローは終了する。割り当て済みストリーム数が送信ストリーム数と異なる場合（Ｓ１３，Ｎｏ）、ＤＬスケジューラ２２は、ストリームに割り当てたユーザ端末を割り当て禁止ユーザ端末テーブルに登録し（Ｓ１４）、Ｓ１２へ移行する。ＤＬスケジューラ２２は、この無線リソース割り当て方法を、無線リソース毎に行う。この場合、同じリモート局から複数のストリームを送信するケースも発生するが、割り当て済みのストリームを送信するリモート局に関連付けられている全ＵＥを割り当て禁止ユーザ端末テーブルに登録するようにすることで、ストリーム間の干渉抑制を実現することができる。
【００８５】
図１４は、複数の送信ストリームを用いる場合の無線リソース割り当てテーブルを示す表である。この無線リソース割り当てテーブルは、複数の無線リソース番号のそれぞれと複数のストリーム番号のそれぞれとに割り当てられたユーザ端末番号を示す。
【００８６】
この無線リソース割り当て方法によれば、異なる２つのユーザ端末のそれぞれが異なる２つのリモート局のそれぞれに関連付けられた場合、２つのユーザ端末への信号のそれぞれは、同じ無線リソースの異なるストリームのそれぞれに割り当てられる。
【００８７】
リモート局３ａ，３ｂ，３ｃ，３ｄ，３ｅ，３ｆは、前述のリモート局下りリンク処理を、送信ストリーム毎に行う。
【００８８】
送信ストリーム数が複数の場合、ＤＬスケジューラ２２は、前述の複数の送信ストリームを用いる場合の無線リソース割り当て方法と同様の方法で、ユーザ端末プリコーディングベクタテーブルを作成する。この場合のユーザ端末プリコーディングベクタテーブルは、リモート局番号毎、ストリーム番号毎、無線リソース番号毎のプリコーディングベクタ番号を示す。
【００８９】
図１５は、複数の送信ストリームを用いる場合のＤＬ信号処理部３３の構成を示すブロック図である。これは、送信ストリーム数がＮ、送信アンテナ数がＭの場合のＤＬ信号処理部３３を示す。この場合のＤＬ信号処理部３３は、無線リソース信号処理部４１、信号変換部４２を有する。無線リソース信号処理部４１は、プリコーディングベクタ乗算部７１と加算部７２を有する。
【００９０】
ここで、ｎ番目の送信ストリームがＳ＿ｎと定義される（ｎは０〜Ｎ−１の整数）。まず、プリコーディングベクタ乗算部７１は、ｎのそれぞれについて、基地局下りリンク信号の送信ストリームＳ＿ｎを複製する。これにより、プリコーディングベクタ乗算部７１は、送信ストリームＳ＿ｎのそれぞれに対し、Ｍ個の複製信号Ｓ＿ｎ＿ｍを生成する（ｍは０〜Ｍ−１の整数）。次に、プリコーディングベクタ乗算部７１は、複製信号Ｓ＿ｎ＿ｍの中の複数の無線リソースのそれぞれに対し、自局宛制御情報に示されたストリーム番号と無線リソース番号に対応するプリコーディングベクタを乗算する。これにより、プリコーディングベクタ乗算部７１は、送信ストリームＳ＿ｎのそれぞれに対し、Ｍ個の乗算結果Ｒ＿ｎ＿ｍを生成する。次に、加算部７２は、ｍのそれぞれについて、ｎを０からＮ−１まで変えてＲ＿ｎ＿ｍを加算することにより、加算結果Ａ＿ｍを生成する。これにより、加算部７２は、Ｍ個の加算結果Ａ＿ｍを生成する。
【００９１】
次に、信号変換部４２は、加算結果Ａ＿ｍのそれぞれのＩＦＦＴを行うことにより、Ｍ個のアンテナのそれぞれから送信されるリモート局下りリンク信号を生成する。
【００９２】
なお、実施形態１と同様、リモート局は、基地局下りリンク信号から、自局宛制御情報により自局が送信必要と示されたストリームの部分と無線リソースの部分を抽出しても良い。同様に、リモート局は、端末下りリンク信号から、自局宛制御情報により自局が受信必要と示されたストリームの部分と無線リソースの部分を抽出しても良い。
【００９３】
＜実施形態３＞
以下、リモート局３ａの変形例である、カスケード接続されないリモート局３ｐについて説明する。
【００９４】
実施形態１の分散アンテナシステムと比較すると、この実施形態の分散アンテナシステムは、リモート局３ａ，３ｂ，３ｃ，３ｄ，３ｅ，３ｆの代わりに、複数のリモート局３ｐを有する。
【００９５】
図１６は、リモート局３ｐの構成を示すブロック図である。リモート局３ｐは、ＩＦ部３１、自局宛制御情報取得部３２、ＤＬ信号処理部３３、無線送信部３４、無線受信部３５、アンテナ４０ａ，４０ｂ，４０ｃ，４０ｄを有する。リモート局３ｐ内の要素のうちリモート局３ａ内の要素と同一符号は、リモート局３ａ内の要素と同一又は相当物を示す。全てのリモート局３ｐは、基地局２ａに接続される。
【００９６】
ＩＦ部３１は、基地局リモート局間ＩＦを介して基地局２ａと通信を行う。ＩＦ部３１は、基地局下りリンク信号とリモート局制御情報を基地局２ａから受信し、ＤＬ信号処理部３３へ出力する。更に、ＩＦ部３１は、無線受信部３５により受信された端末上りリンク信号をリモート局上りリンク信号として、基地局２ａへ送信する。
＜実施形態４＞
【００９７】
以下、リモート局が自局を示す識別信号をユーザ端末へ送信し、ユーザ端末が通信品質の良いリモート局を識別することにより関連付け処理を行う場合について説明する。
【００９８】
実施形態１の分散アンテナシステムと比較すると、この実施形態の分散アンテナシステムは、リモート局３ａ，３ｂ，３ｃ，３ｄ，３ｅ，３ｆの代わりに複数のリモート局３ｑを有する。
【００９９】
図１７は、リモート局３ｑの構成を示すブロック図である。リモート局３ｑは、リモート局３ｐと同様、カスケード接続されないリモート局である。リモート局３ｑ内の要素のうちリモート局３ｐ内の要素と同一符号は、リモート局３ｐ内の要素と同一又は相当物を示す。リモート局３ｐと比較すると、リモート局３ｑは新たに識別信号挿入部３９を有する。全てのリモート局３ｑは基地局２ａに接続される。
【０１００】
図１８は、ユーザ端末４ｕの構成を示すブロック図である。ユーザ端末４ｕは、無線受信部５１、ＤＬ信号処理部５２、識別信号検出部５３、ＵＬ信号処理部５４、無線送信部５５、アンテナ４０ｅ，４０ｆ，４０ｇ，４０ｈを有する。ユーザ端末４ｖの構成は、ユーザ端末４ｕの構成と同様である。
【０１０１】
リモート局３ｑにおいて、識別信号挿入部３９は、リモート局下りリンク信号に識別信号を埋め込み、無線送信部３４へ出力する。識別信号は、例えば、次に示すパンクチャ・パターン（Puncture Pattern）を用いる。図１９は、パンクチャ・パターンを示す模式図である。この図は２つのパンクチャ・パターンＰ１，Ｐ２を示す。パンクチャ・パターンＰ１，Ｐ２のそれぞれは、周波数−時間の平面上で表され、各位置に於ける送信電力を０または１により示す行列として定義される。この平面内の点により定義される特定位置は、リモート局下りリンク信号において送信電力が０となる位置を示す。リモート局のそれぞれを示すリモート局番号に対応して、異なるパンクチャ・パターンが定義される。リモート局３ｑは、自局に対応するパンクチャ・パターンを送信する。
【０１０２】
リモート局３ｑによりパンクチャ・パターンの一つが送信され、ユーザ端末４ｕにより受信される場合、特定位置の受信電力が０となる。基地局２ａ、リモート局３ｎ、ユーザ端末４ｕ等の全ての局は、リモート局のそれぞれに対応するパンクチャ・パターンを予め記憶する。
【０１０３】
ユーザ端末４ｕにおいて、無線受信部５１はリモート局３ｑから送信された無線信号を受信し、ベースバンド信号に変換する。ＤＬ信号処理部５２は、受信されたベースバンド信号からデータを復調する。更に、ＤＬ信号処理部５２は、サブキャリア毎の受信電力や、全てのサブキャリアの受信電力の平均値等を検出する。
【０１０４】
識別信号検出部５３は、サブキャリアの受信電力のそれぞれが所定の受信電力条件を満たすか否かを判定する。受信電力条件は、受信電力が受信電力しきい値を下回ることである。受信電力しきい値は、例えば、（全てのサブキャリアの受信電力の平均値）−（所定値）である。次に、識別信号検出部５３は、周波数−時間の平面上で受信電力条件を満たすサブキャリアの配置であるパンクチャ・パターンを識別し、識別されたパンクチャ・パターンに対応するリモート局番号である受信リモート局番号を、ＵＬ信号処理部５４へ出力する。
【０１０５】
ＵＬ信号処理部５４は、自局のユーザ端末番号、受信リモート局番号、を含む端末上りリンク信号を生成する。
【０１０６】
無線送信部５５は、端末上りリンク信号の変調処理を行うことにより、端末上りリンク信号をアンテナ４０ｅ，４０ｆから無線送信する。
【０１０７】
リモート局３ａは、端末上りリンク信号を受信し、その端末上りリンク信号に基づいてリモート局上りリンク信号を生成し、そのリモート局上りリンク信号を基地局２ａへ送信する。そのリモート局上りリンク信号は、抽出された端末上りリンク信号と、その抽出された端末上りリンク信号を送信したユーザ端末のユーザ端末番号である受信ユーザ端末番号と、そのユーザ端末により識別された受信リモート局番号とを含む。
【０１０８】
基地局２ａにおいて、ＵＬ信号処理部２６は、受信されたリモート局上りリンク信号から、受信ユーザ端末番号と受信リモート局番号の組等を取得する。ＵＥ管理部２１は、取得された受信ユーザ端末番号と受信リモート局番号の組に基づいて、関連テーブルを作成する。例えば、関連リモート局番号は、所定の通信品質条件を満たすリモート局のリモート局番号と定義され、通信品質条件は、パンクチャ・パターンが識別されたことと定義される。この場合、ＵＥ管理部２１は、取得された受信ユーザ端末番号と受信リモート局番号の組に基づいて、関連テーブル内のその受信ユーザ端末番号に対する関連リモート局番号を、その受信リモート局番号に設定する。
【０１０９】
この関連付け処理は所定周期で行われる。これにより、関連テーブルは更新される。
【０１１０】
＜実施形態５＞
以下、端末上りリンク信号の遅延プロファイルを用いる関連付け処理を行う場合、について説明する。
【０１１１】
実施形態１の分散アンテナシステムと比較すると、この実施形態の分散アンテナシステムは、基地局２ａの代わりに基地局２ｇを有し、リモート局３ａ，３ｂ，３ｃ，３ｄ，３ｅ，３ｆの代わりに複数のリモート局３ｇを有する。
【０１１２】
以下、リモート局３ｇについて説明する。
【０１１３】
図２０は、リモート局３ｇの構成を示すブロック図である。リモート局３ｇは、リモート局３ａと同様、カスケード接続されることができるリモート局である。リモート局３ｇ内の要素のうち、リモート局３ａ内の要素と同一符号は、リモート局３ａ内の要素と同一又は相当物を示す。リモート局３ａと比較すると、リモート局３ｇは、新たに遅延付加部６１を有する。
【０１１４】
複数のリモート局３ｇの遅延付加部６１には、それぞれ異なる遅延時間であるリモート局遅延時間が設定される。遅延付加部６１は、自局のリモート局遅延時間の遅延を、無線受信部３５により受信された端末上りリンク信号に与え、ＵＬ信号処理部３８へ出力する。
【０１１５】
ＵＬ信号処理部３８は、遅延付加部６１の出力と、他局のリモート局上りリンク信号とを合成する。
【０１１６】
以下、基地局２ｇについて説明する。
【０１１７】
図２１は、基地局２ｇの構成を示すブロック図である。基地局２ｇ内の要素のうち、基地局２ａ内の要素と同一符号は、基地局２ａ内の要素と同一又は相当物を示す。基地局２ａと比較すると、基地局２ｇは、新たに遅延検出部６２を有する。
【０１１８】
遅延検出部６２は、受信されたリモート局上りリンク信号の遅延プロファイルを算出する。前述のように、受信されたリモート局上りリンク信号は、複数のリモート局のそれぞれにより受信された信号がそれぞれ異なる遅延を与えられ、合成された信号である。従って、遅延プロファイルは、複数のリモート局遅延時間のそれぞれにおいて、対応するリモート局の受信電力を示す。次に、遅延検出部６２は、その遅延プロファイル内の、各リモート局のリモート局遅延時間に対応する受信電力を比較し、各リモート局の受信電力の順位を決定する。
【０１１９】
基地局２ｇのＵＥ管理部２１は、ＵＬ信号処理部２６の復調結果から、受信されたリモート局上りリンク信号に含まれる端末上りリンク信号を送信したユーザ端末を取得して送信ユーザ端末とする。次に、ＵＥ管理部２１は、遅延検出部６２により決定されたリモート局毎の受信電力の順位を、送信ユーザ端末に対する関連リモート局番号の優先順位として関連テーブルへ登録する。
【０１２０】
この関連付け処理は所定周期で行われる。これにより、関連テーブルは更新される。
【０１２１】
前述の各実施形態によれば、基地局が複数のリモート局の全てに対し同じ下り信号を送信することができると共に、基地局と複数のリモート局の接続に全てのトポロジーを適用することができる。更に、基地局がリモート局を選択する必要がなく、ベースバンド信号処理が簡単である。
【０１２２】
無線通信装置は、例えば、基地局２ａ，２ｇのいずれかとリモート局３ａ，３ｂ，３ｃ，３ｄ，３ｅ，３ｆ，３ｇ，３ｐ，３ｑのいずれかとを含む。
基地局装置及び基地局部は、例えば、基地局２ａ，２ｇを含む。
リモート局装置及びリモート局部は、例えば、リモート局３ａ，３ｂ，３ｃ，３ｄ，３ｅ，３ｆ，３ｇ，３ｐ，３ｑを含む。
端末装置は、例えば、ユーザ端末４ｕ，４ｖを含む。
決定部は、例えば、ＵＥ管理部２１、ＤＬスケジューラ２２、リモート局制御情報生成部２４を含む。
第１受信部は、例えば、ＵＬ信号処理部２６、ＩＦ部２５を含む。
第１送信部は、例えば、ＤＬ信号処理部２３、ＩＦ部２５を含む。
第２受信部は、例えば、ＩＦ部３６，３１、自局宛制御情報取得部３２を含む。
第２送信部は、例えば、ＩＦ部３６を含む。
第３受信部は、例えば、無線受信部３５、ＩＦ部３７を含む。
第３送信部は、例えば、無線送信部３４を含む。
第４受信部は、例えば、ＩＦ部３７を含む。
第４送信部は、例えば、ＩＦ部３７を含む。
第１信号処理部は、例えば、ＤＬ信号処理部３３を含む。
第２信号処理部は、例えば、ＵＬ信号処理部３８を含む。
第１関連情報は、例えば、関連テーブルを含む。
第２関連情報、第３関連情報は、例えば、無線リソース割り当てテーブルを含む。
第１下りリンク信号は、例えば、基地局下りリンク信号を含む。
第２下りリンク信号は、例えば、リモート局下りリンク信号を含む。
第１上りリンク信号は、例えば、リモート局上りリンク信号を含む。
第２上りリンク信号は、例えば、端末上りリンク信号を含む。
データパターンは、例えば、パンクチャ・パターンを含む。
【０１２３】
以上の全ての実施形態に関し、更に以下の付記を開示する。
（付記１）
基地局部と、前記基地局部と通信を行うと共に複数の無線リソースを用いて複数の端末装置と無線通信を行うことができる、複数のリモート局部と、
を備え、
前記基地局部は、前記リモート局部の夫々による前記複数の無線リソースの夫々の信号処理を示す制御情報を決定する決定部と、前記制御情報と前記複数の端末装置への信号を含む第１下りリンク信号とを前記リモート局部へ送信する第１送信部と、前記複数の端末装置からの信号を含む第１上りリンク信号を、前記リモート局部から受信する第１受信部と、を備え、
前記複数のリモート局部の夫々は、前記制御情報と前記第１下りリンク信号とを前記基地局部から受信する第２受信部と、前記無線通信を用いて、前記基地局部への信号を含む第２上りリンク信号を前記複数の端末装置から受信する第３受信部と、前記無線通信を用いて、前記基地局部からの信号を含む第２下りリンク信号を前記複数の端末装置へ送信する第２送信部と、前記第１上りリンク信号を前記基地局部へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、
前記第１信号処理と前記第２信号処理の少なくともいずれかは、前記制御情報に基づいて前記複数の無線リソースの夫々に対する信号処理を行う、
無線通信装置。
（付記２）
前記制御情報は、前記リモート局部の夫々に対し、前記複数の無線リソースの夫々が必要か不要かを示し、
前記第１信号処理部は、前記第１下りリンク信号のうち、前記制御情報により自局に必要と示された無線リソースを前記第２下りリンク信号に含め、前記第１下りリンク信号のうち、前記制御情報により自局に不要と示された無線リソースを前記第２下りリンク信号に含めない、
付記１に記載の無線通信装置。
（付記３）
前記制御情報は、前記リモート局部の夫々に対し、前記複数の無線リソースの夫々が必要か不要かを示し、
前記第２信号処理部は、前記第２上りリンク信号のうち、前記制御情報により自局に必要と示された無線リソースを前記第１上りリンク信号に含め、前記第２上りリンク信号のうち、前記制御情報により自局に不要と示された無線リソースを前記第１下りリンク信号に含めない、
付記１に記載の無線通信装置。
（付記４）
前記決定部は、前記複数の端末装置の夫々と前記複数の端末装置の夫々への前記第２下りリンク信号の送信元であるリモート局部との関連を示す第１関連情報を記憶し、前記複数の無線リソースの夫々と前記複数の無線リソースの夫々を用いる送信先である端末装置との関連を示す第２関連情報を記憶し、前記第１関連情報と前記第２関連情報に基づいて、前記リモート局部の夫々に前記複数の無線リソースの夫々が必要か不要かを決定することにより、前記制御情報を決定する、
付記２に記載の無線通信装置。
（付記５）
前記複数のリモート局部の一つである第１リモート局部と、前記第１関連情報により前記第１リモート局部に関連付けられた第１端末装置と、前記第２関連情報により前記第１端末装置に関連付けられた第１無線リソースと、前記第１関連情報により前記第１リモート局部に関連付けられていない第２端末装置と、前記第２関連情報により前記第２端末装置に関連付けられた第２無線リソースとに関し、前記決定部は、前記第１リモート局部にとって前記第１無線リソースが必要であり前記第２無線リソースが不要であることを示す前記制御情報を決定する、
付記４に記載の無線通信装置。
（付記６）
前記決定部は、前記複数のリモート局部で前記複数の端末装置のいずれかから受信した信号電力を、前記第１上りリンク信号より抽出または識別することによって、前記第１関連情報を決定する、
付記４に記載の無線通信装置。
（付記７）
前記第１信号処理部は、前記複数の無線リソースの夫々に対して、ＭＩＭＯ送信のためのプリコーディングを行う、
付記１に記載の無線通信装置。
（付記８）
前記制御信号は、前記リモート局部の夫々に対して、複数のストリームの夫々と前記複数の無線リソースの夫々とに対する前記第１信号処理とを示し、
前記１信号処理部は、前記制御信号に基づいて、前記第１下りリンク信号内の前記複数のストリームの夫々と前記複数の無線リソースの夫々とに対する前記第１信号処理を行うことにより、前記第２下りリンク信号を生成する、
付記１に記載の無線通信装置。
（付記９）
前記決定部は、前記複数の端末装置の夫々と前記複数の端末装置の夫々への前記第２下りリンク信号の送信元であるリモート局部との関連を示す第１関連情報を記憶し、前記複数の無線リソースの夫々と前記複数のストリームの夫々と前記複数のストリームの夫々及び前記複数の無線リソースの夫々を用いる送信先である端末装置との関連を示す第３関連情報を記憶し、前記第１関連情報と前記第３関連情報に基づいて、前記リモート局部の夫々に前記複数の無線リソースの夫々が必要か不要かを決定することにより、前記制御情報を決定し、
前記複数のリモート局部の一つである第３リモート局部と、前記複数のリモート局部の別の一つである第４リモート局部と、前記第１関連情報により前記第３リモート局部に関連付けられた第３端末装置と、前記第１関連情報により前記第４リモート局部に関連付けられた第４端末装置とに関し、前記複数の無線リソースの一つである第３無線リソースは、前記第３関連情報により、前記複数のストリームの一つである第１ストリームと前記複数のストリームの別の一つである第２ストリームとに関連付けられ、前記第１ストリームは前記第３端末装置に関連付けられ、前記第２ストリームは前記第４端末装置に関連付けられ、
前記決定部は、前記第３端末装置への信号を前記第１下りリンク信号の前記第１ストリームに含め、前記第４端末装置への信号を前記第１下りリンク信号の前記第２ストリームに含める、
付記８に記載の無線通信装置。
（付記１０）
前記複数のリモート局部の夫々に関連付けられた、互いに異なる複数のデータパターンの夫々は、前記複数のリモート局部と前記複数の端末装置とに予め記憶され、
前記第１信号処理部は、前記複数のデータパターンのうち自局に関連付けられた特定データパターンに基づいて前記第１下りリンク信号を変換することにより、前記第２下りリンク信号を生成し、
前記複数の端末装置の夫々は、前記第２下りリンク信号を受信し、前記受信された第２下りリンク信号に基づいて前記特定データパターンを認識し、前記認識されたデータパターンに基づいて前記特定データパターンを送信したリモート局部を認識し、前記特定データパターンを送信したリモート局部を示す情報を前記第２上りリンク信号に含め、
前記決定部は、前記第１上りリンク信号から、前記特定データパターンを送信したリモート局部と前記特定データパターンを受信した端末装置とを認識し、前記認識された端末装置と前記認識されたリモート局部とを関連付けるように前記第１関連情報を決定する、
付記４に記載の無線通信装置。
（付記１１）
前記リモート局部は、更に、
前記第１下りリンク信号を、前記複数のリモート局部のうち自局以外のリモート局部へ送信する第４送信部と、
前記複数のリモート局部のうち自局以外のリモート局部により送信された第１上りリンク信号である他局上りリンク信号を受信する第４受信部と、
を備え、
前記第２信号処理部は、前記第２上りリンク信号に対し第２信号処理を行うことにより自局上りリンク信号を生成し、前記他局上りリンク信号と前記自局上りリンク信号を合成することにより前記第１上りリンク信号を生成する、
付記４に記載の無線通信装置。
（付記１２）
前記複数のリモート局部の夫々に関連付けられた、互いに異なる複数の遅延時間の夫々は、前記複数のリモート局部と前記基地局部とに予め記憶され、
前記第２信号処理部は、前記第２上りリンク信号に前記遅延時間の遅延を与えることにより前記自局上りリンク信号を生成し、
前記決定部は、前記第１上りリンク信号に含まれる前記第２上りリンク信号の送信元である端末装置を認識し、前記第１上りリンク信号の遅延時間を検出し、前記検出された遅延時間の遅延を与えたリモート局部を認識し、前記認識された端末装置と前記認識されたリモート局部を関連付けるように前記第１関連情報を決定する、
付記１１に記載の無線通信装置。
（付記１３）
複数の無線リソースを用いて複数の端末装置と無線通信を行うことができるリモート局装置であって、
前記リモート局装置の夫々による前記複数の無線リソースの夫々の信号処理を示す制御情報と前記複数の端末装置への信号を含む第１下りリンク信号とを基地局装置から受信する第２受信部と、
前記無線通信を用いて、前記基地局装置への信号を含む第２上りリンク信号を前記複数の端末装置から受信する第３受信部と、
前記無線通信を用いて、前記基地局装置からの信号を含む第２下りリンク信号を前記複数の端末装置へ送信する第２送信部と、
前記基地局装置への信号を含む第１上りリンク信号を前記基地局装置へ送信する第３送信部と、
前記第１下りリンク信号に第１信号処理を行うことにより前記第２下りリンク信号を生成する第１信号処理部と、
前記第２上りリンク信号に第２信号処理を行うことにより前記第１上りリンク信号を生成する第２信号処理部と、
を備え、
前記第１信号処理と前記第２信号処理の少なくともいずれかは、前記制御情報に基づいて前記複数の無線リソースの夫々に対する信号処理を行う、
リモート局装置。
（付記１４）
複数の無線リソースを用いて複数の端末装置との間で無線通信を行うことができる複数のリモート局装置に関し、前記複数のリモート局装置と通信を行う基地局装置であって、
前記リモート局装置の夫々による前記複数の無線リソースの夫々の信号処理を示す制御情報を決定する決定部と、
前記制御情報と前記複数の端末装置への信号を含む第１下りリンク信号とを前記リモート局装置へ送信する第１送信部と、
前記複数の端末装置からの信号を含む第１上りリンク信号を、前記リモート局装置から受信する第１受信部と、
を備え、
前記複数のリモート局装置の夫々は、前記制御情報と前記第１下りリンク信号とを前記基地局装置から受信する第２受信部と、前記無線通信を用いて、前記基地局装置への信号を含む第２上りリンク信号を前記複数の端末装置から受信する第３受信部と、前記無線通信を用いて、前記基地局装置からの信号を含む第２下りリンク信号を前記複数の端末装置へ送信する第２送信部と、前記第１上りリンク信号を前記基地局装置へ送信する第３送信部と、前記第１下りリンク信号に第１信号処理を行うことにより前記第２下りリンク信号を生成する第１信号処理部と、前記第２上りリンク信号に第２信号処理を行うことにより前記第１上りリンク信号を生成する第２信号処理部と、を備え、
前記第１信号処理と前記第２信号処理の少なくともいずれかは、前記制御情報に基づいて前記複数の無線リソースの夫々に対する信号処理を行う、
基地局装置。
【符号の説明】
【０１２４】
１  分散アンテナシステム
２ａ，２ｇ  基地局
３ａ，３ｂ，３ｃ，３ｄ，３ｅ，３ｆ，３ｇ，３ｐ，３ｑ  リモート局
４ｕ，４ｖ  ユーザ端末
２１  ＵＥ管理部
２２  ＤＬスケジューラ
２３  ＤＬ信号処理部
２４  リモート局制御情報生成部
２５，３６，３７  ＩＦ部
２６  ＵＬ信号処理部
３２  自局宛制御情報取得部
３３  ＤＬ信号処理部
３４  無線送信部
３５  無線受信部
３８  ＵＬ信号処理部
４０ａ，４０ｂ，４０ｃ，４０ｄ，４０ｅ，４０ｆ，４０ｇ，４０ｈ  アンテナ
４１  無線リソース信号処理部
４２  信号変換部
４３  信号変換部
４４  無線リソース信号処理部
５１  無線受信部
５２  ＤＬ信号処理部
５３  識別信号検出部
５４  ＵＬ信号処理部
５５  無線送信部
７１  プリコーディングベクタ乗算部
７２  加算部
【図１】
0005445152.tif 000004
【図２】
0005445152.tif 000005
【図３】
0005445152.tif 000006
【図４】
0005445152.tif 000007
【図５】
0005445152.tif 000008
【図６】
0005445152.tif 000009
【図７】
0005445152.tif 000010
【図８】
0005445152.tif 000011
【図９】
0005445152.tif 000012
【図１０】
0005445152.tif 000013
【図１１】
0005445152.tif 000014
【図１２】
0005445152.tif 000015
【図１３】
0005445152.tif 000016
【図１４】
0005445152.tif 000017
【図１５】
0005445152.tif 000018
【図１６】
0005445152.tif 000019
【図１７】
0005445152.tif 000020
【図１８】
0005445152.tif 000021
【図１９】
0005445152.tif 000022
【図２０】
0005445152.tif 000023
【図２１】
0005445152.tif 000024